【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
遊技に関する主な制御を行う主制御手段と、その主制御手段から出力される制御用データに基づいて遊技に関する周辺制御を行う周辺制御手段を備えた遊技機において、
前記主制御手段と前記周辺制御手段との間に介在され、前記主制御手段から出力された前記周辺制御手段に対する前記制御用データの読込指示とを保持出力する第１保持出力回路と、
前記主制御手段と前記周辺制御手段との間に介在され、前記主制御手段から出力された前記制御用データを保持出力する第２保持出力回路と、
前記制御用データを前記第２保持出力回路へ出力した後、前記読込指示を前記第１保持出力回路へ出力する読込指示出力手段と、
前記読込指示を前記第１保持出力回路へ出力する前に、前記読込指示のクリアデータを前記第１保持出力回路へ出力する第１読込指示クリア手段とを備え、
前記周辺制御手段は、前記読込指示出力手段によって前記読込指示が前記第１保持出力回路へ出力されると、その読込指示より前に第２保持出力回路によって保持出力された制御用データを読み込み、該制御用データに基づく周辺制御を行うことを特徴とする遊技機。
【請求項２】
前記第１読込指示クリア手段の実行タイミングと前記読込指示出力手段の実行タイミングとの間には、該読込指示出力手段を実行するために必要な処理のみを介在することを特徴とする請求項１記載の遊技機。
【請求項３】
前記主制御手段から遊技状態に応じて出力される駆動指示に基づいて視認可能に状態が変化される可変部材と、
前記遊技状態に応じて前記駆動指示を更新する駆動指示更新手段とを備え、
前記第１保持出力回路は、前記主制御手段から出力された前記周辺制御手段に対する前記制御用データの読込指示と前記可変部材に対する駆動指示とを保持出力するものであり、
その駆動指示更新手段により更新された駆動情報を前記第１保持出力回路へ出力するタイミングに応じて、該駆動情報と共に、前記読込指示のクリアデータを前記第１保持出力回路へ出力する第２読込指示クリア手段を備えていることを特徴とする請求項２記載の遊技機。
【請求項４】
前記駆動指示更新手段は、定期的に繰り返し実行されるものであり、
前記第２読込指示クリア手段は、前記駆動指示更新手段の実行に伴って定期的に繰り返し実行される前記第１保持出力回路への前記駆動指示の出力タイミングに応じて実行されることを特徴とする請求項３記載の遊技機。
【請求項５】
前記定期的に繰り返し前記第１保持出力回路へ出力される前記駆動指示は、その駆動指示を含む１単位のデータで構成されるものであり、
前記第２保持出力回路へ出力される前記読込指示は、前記１単位のデータの中に割り当てられていることを特徴とする請求項４記載の遊技機。
【請求項６】
前記第１保持出力回路へ出力される前記駆動指示と前記読込指示とを含む１単位のデータを記憶する出力データ記憶手段と、
前記第２読込指示クリア手段の実行前に、前記出力データ記憶手段に記憶されているデータをクリアするデータクリア手段と、
そのデータクリア手段によりクリアされた出力データ記憶手段に、前記駆動指示更新手段により更新された駆動指示を前記出力データ記憶手段に設定する駆動指示設定手段とを備え、
前記第２読込指示クリア手段は、前記駆動指示設定手段により駆動指示が設定された前記出力データ記憶手段に記憶されているデータを、前記第１保持出力回路へ出力することを特徴とする請求項３から５のいずれかに記載の遊技機。
【請求項７】
前記第１又は第２読込指示クリア手段は、少なくとも、前記主制御手段から前記制御用データを前記第２保持出力回路へ出力する前に実行されることを特徴とする請求項１から６のいずれかに記載の遊技機。
【手続補正２】
【補正対象書類名】明細書
【補正対象項目名】００１１
【補正方法】変更
【補正の内容】
【００１１】
一方で、読込指示が第１保持出力回路へ出力される前に、第１読込指示クリア手段によって読込指示のクリアデータが第１保持出力回路へ出力される。よって、ノイズが周辺制御手段により読込指示として誤って検出されることを抑制できる。その結果として、周辺制御手段による誤った制御用データの受信が防止されるので、周辺制御手段による正常な周辺制御が確実に行われるのである。
請求項２記載の遊技機は、請求項１記載の遊技機において、前記第１読込指示クリア手段の実行タイミングと前記読込指示出力手段の実行タイミングとの間には、該読込指示出力手段を実行するために必要な処理のみを介在する。
請求項３記載の遊技機は、請求項２記載の遊技機において、前記主制御手段から遊技状態に応じて出力される駆動指示に基づいて視認可能に状態が変化される可変部材と、前記遊技状態に応じて前記駆動指示を更新する駆動指示更新手段とを備え、前記第１保持出力回路は、前記主制御手段から出力された前記周辺制御手段に対する前記制御用データの読込指示と前記可変部材に対する駆動指示とを保持出力するものであり、その駆動指示更新手段により更新された駆動情報を前記第１保持出力回路へ出力するタイミングに応じて、該駆動情報と共に、前記読込指示のクリアデータを前記第１保持出力回路へ出力する第２読込指示クリア手段を備えている。
請求項４記載の遊技機は、請求項３記載の遊技機において、前記駆動指示更新手段は、定期的に繰り返し実行されるものであり、前記第２読込指示クリア手段は、前記駆動指示更新手段の実行に伴って定期的に繰り返し実行される前記第１保持出力回路への前記駆動指示の出力タイミングに応じて実行される。
請求項５記載の遊技機は、請求項４記載の遊技機において、前記定期的に繰り返し前記第１保持出力回路へ出力される前記駆動指示は、その駆動指示を含む１単位のデータで構成されるものであり、前記第２保持出力回路へ出力される前記読込指示は、前記１単位のデータの中に割り当てられている。
請求項６記載の遊技機は、請求項３から５のいずれかに記載の遊技機において、前記第１保持出力回路へ出力される前記駆動指示と前記読込指示とを含む１単位のデータを記憶する出力データ記憶手段と、前記第２読込指示クリア手段の実行前に、前記出力データ記憶手段に記憶されているデータをクリアするデータクリア手段と、そのデータクリア手段によりクリアされた出力データ記憶手段に、前記駆動指示更新手段により更新された駆動指示を前記出力データ記憶手段に設定する駆動指示設定手段とを備え、前記第２読込指示クリア手段は、前記駆動指示設定手段により駆動指示が設定された前記出力データ記憶手段に記憶されているデータを、前記第１保持出力回路へ出力する。
請求項７記載の遊技機は、請求項１から６のいずれかに記載の遊技機において、前記第１又は第２読込指示クリア手段は、少なくとも、前記主制御手段から前記制御用データを前記第２保持出力回路へ出力する前に実行される。
【手続補正３】
【補正対象書類名】明細書
【補正対象項目名】００１２
【補正方法】変更
【補正の内容】
【００１２】
請求項１記載の遊技機によれば、読込指示が第１ラッチ回路へ出力される前に必ず読込指示がクリアされるので、周辺制御手段が、ノイズを読込指示とする誤検出を有効に抑制できるという効果がある。その結果として、誤った制御用データが周辺制御手段に受信されたり、読み込むべき制御用データが読み込まれなかったりすることを防止できるので、周辺制御手段が正常な周辺制御を確実に実行できるという効果がある。
請求項２記載の遊技機によれば、請求項１記載の遊技機の奏する効果に加えて、次の効果を奏する。第１読込指示クリア手段の実行タイミングと読込指示出力手段の実行タイミングとの期間を可能な限り短くすることができる。即ち、第１読込指示クリア手段の実行後、比較的近いタイミングで読込指示が実行されることになるので、ノイズの影響を有効に防止しつつ、正確な読込指示を出力することができるという効果がある。
請求項３記載の遊技機によれば、請求項２記載の遊技機の奏する効果に加えて、次の効果を奏する。主制御手段と、可変部材及び周辺制御手段との間に介在された第１保持出力回路には、可変部材の状態を視認可能に変化させる駆動信号と、周辺制御手段に対する制御用データの読込指示が保持出力される。なお、ここで、「可変部材の状態を視認可能に変化」とは、可動部材が駆動されることによって、可動部材が動いて位置が変化することや、可動部材の点灯状態（点灯、消灯、点滅、点灯色の変更など）の変化などを意味する。
ここで、遊技状態に応じた駆動指示が第１保持出力回路へ出力されるタイミングに応じて、第２読込指示クリア手段によって読込指示のクリアデータが第１保持出力回路へ出力される。よって、ノイズが周辺制御手段により読込指示として誤って検出されることを抑制できる。その結果として、周辺制御手段による誤った制御用データの受信が防止されるので、周辺制御手段による正常な周辺制御が確実に行われるという効果がある。一般的に、駆動指示更新手段による駆動指示の更新は、遊技状態に応じて随時行われるので、結果として、第２読込指示クリア手段による読込指示のクリアを随時行い得る。読込指示が随時クリアされることによって、ノイズが誤って読込指示として検出されることを効果的に抑制できるのである。
請求項４記載の遊技機によれば、請求項３記載の遊技機の奏する効果に加えて、次の効果を奏する。第２読込指示クリア手段が、定期的に繰り返し実行される第１保持出力回路への駆動指示の出力タイミングに応じて実行されるので、読込指示のクリアデータが、定期的なタイミングで第１保持出力回路へ繰り返し出力される。よって、読込指示のクリアが、定期的なタイミング毎に行われるので、周辺制御手段において、ノイズが読込指示として誤検出されることを有効に抑制できる。その結果として、読込信号が正確に出力され、誤った制御用データが周辺制御手段に受信されたり、読み込むべき制御用データが読み込まれなかったりすることを防止できるので、周辺制御手段が正常な周辺制御を確実に実行できるという効果がある。
請求項５記載の遊技機によれば、請求項４記載の遊技機の奏する効果に加えて、次の効果を奏する。定期的に繰り返し第１保持出力回路へ出力される駆動指示と、第２保持出力回路へ出力される読込指示とが１単位のデータとして取り扱われるので、定期的に第１保持出力回路への駆動指示が出力される毎に、読込指示のクリアデータが、定期的なタイミングで第１保持出力回路へ繰り返し出力されることになる。よって、読込指示のクリアが、定期的なタイミング毎に行われるので、周辺制御手段において、ノイズが読込指示として誤検出されることを有効に抑制できる。その結果として、読込信号が正確に出力され、誤った制御用データが周辺制御手段に受信されたり、読み込むべき制御用データが読み込まれなかったりすることを防止できるので、周辺制御手段が正常な周辺制御を確実に実行できるという効果がある。請求項５において、「１単位のデータ」は、複数ビットから構成される単位データ（例えば、２ビット、４ビット、１バイト、２バイトなど）を意味する。
請求項６記載の遊技機によれば、請求項３から５のいずれかに記載の遊技機の奏する効果に加えて、次の効果を奏する。第２読込指示クリア手段によって第１保持出力回路へ出力される駆動指示及び読込指示は、出力データ記憶手段に記憶される１単位のデータの中に含まれており、この出力データ記憶手段に記憶されるデータは、データクリア手段によりクリアされた後、駆動指示設定手段により駆動指示を設定してから、第２読込指示クリア手段によって第１保持出力回路へ出力される。即ち、駆動指示と読込指示とが１単位のデータに含まれ、そのデータを予めクリアしておくことにより、読込指示クリア手段によって出力されるべき読込指示のクリアデータの作成を達成することができるのである。駆動指示設定手段による駆動指示の設定は、駆動指示更新手段の実行に伴い随時行われる処理なので、読込指示のクリアデータの作成を、随時実行される処理に伴って簡便に行い得るという効果がある。なお、請求項４において、「１単位のデータ」は、複数ビットから構成される単位データ（例えば、２ビット、４ビット、１バイト、２バイトなど）を意味する。
請求項７記載の遊技機によれば、請求項１から６のいずれかに記載の遊技機の奏する効果に加えて、次の効果を奏する。第１又は第２読込指示クリア手段が、主制御手段から制御用データが第２保持出力回路へ出力される前に少なくとも実行されるので、読込指示が、少なくとも、制御用データが第２保持出力回路へ出力される前に一旦クリアされる。よって、周辺制御手段は、制御用データの後に読込指示を確実に受信することができる。即ち、周辺制御手段は、ノイズの影響を有効に防止しつつ、制御用データを確実に受信することができる。その結果として、周辺制御手段が正常な周辺制御を確実に実行できるという効果がある。
【手続補正４】
【補正対象書類名】明細書
【補正対象項目名】０４１５
【補正方法】変更
【補正の内容】
【０４１５】
なお、上記実施形態において、請求項１記載の読込指示手段としては、表示コマンド出力処理（図５４参照）におけるＳ１６０７の処理、払出コマンド出力制御処理（Ｓ１３０６）の中で実行されるＳ１６０７に対応する処理が該当する。また、第１読込指示クリア手段としては、表示コマンド出力処理（図５４）におけるＳ１６０２，Ｓ１６１７の処理、払出コマンド出力制御処理（Ｓ１３０６）の中で実行されるＳ１６０２，Ｓ１６１７に対応する処理が該当する。
また、上記実施形態において、請求項３記載の駆動指示更新手段としては、通常処理（図４７）における開放フラグ更新処理（Ｓ２０６）が該当する。また、第２読込指示クリア手段としては、ソレノイドデータ出力制御処理（図５２）におけるＳ１４０４の処理、払出コマンド出力制御処理（Ｓ１３０６）の中で実行されるＳ１４０４に対応する処理が該当する。
また、上記実施形態において、請求項６記載のデータクリア手段としては、ソレノイドデータ出力制御処理（図５２）におけるＳ１４０１の処理が該当する。また、駆動指示設定手段としては、ソレノイドデータ出力制御処理（図５２）におけるＳ１４０２，Ｓ１４０３，Ｓ１４０６，Ｓ１４０７の処理、払出コマンド出力制御処理（Ｓ１３０６）の中で実行されるＳ１４０２，Ｓ１４０３，Ｓ１４０６，Ｓ１４０７に対応する処理が該当する。
【手続補正５】
【補正対象書類名】明細書
【補正対象項目名】０４５６
【補正方法】変更
【補正の内容】
【０４５６】
１０              パチンコ機（遊技機）
７０１            ＭＰＵ（主制御手段）
７１２            ＭＰＵ（周辺制御手段）
７２１            ＭＰＵ（周辺制御手段）
７０３ｄ ＳＳ出力データメモリ（出力データ記憶手段）
７０６            ドライバ回路Ａ（第１保持出力回路）
７０７            ドライバ回路Ｂ（第２保持出力回路）
７０８            ドライバ回路Ｃ（第２保持出力回路）